(57)【要約】【課題】ハンドルなどの持ち手を好みのデザインや形状の異なる持ち手を自由に選んで、バッグ本体に着脱可能とすると共に、強度を備えた信頼性の高い手提げ付きバッグを提供する。【解決手段】バッグ本体と、バッグ本体に着脱可能な持ち手とからなり、  バッグ本体にハトメ部からなって持ち手の端部側を挿入しうる挿入孔を有しており、  持ち手は、紐状の持ち手本体の両端側がそれぞれ折り返された個所に第１の空隙ができ、該第１の空隙を開閉しうるように前記端部の重ね合わせた個所を開閉しうるように一対のスナップボタンが設けられ、  前記第１の空隙には、前記挿入孔から抜け出ない大きい外形からなる抜止め具が掛止め可能となっている。【選択図】図１
0003209368.tif 000002
【実用新案登録請求の範囲】
【請求項１】
バッグ本体と、バッグ本体に着脱可能な持ち手とからなり、
バッグ本体にハトメ部からなって持ち手の端部側を挿入しうる挿入孔を有しており、
持ち手は、紐状の持ち手本体の両端側がそれぞれ折り返された個所に第１の空隙ができ、該第１の空隙を開閉しうるように前記端部の重ね合わせた個所を開閉しうるように一対のスナップボタンが設けられ、
前記第１の空隙には、前記挿入孔から抜け出ない大きさの外形からなる抜止め具が掛止め可能となっていることを特徴とする持ち手付きバッグ。
【請求項２】
抜止め具が丸環であることを特徴とする請求項１に記載の持ち手付きバッグ。
【請求項３】
バッグ本体に収納可能な小型バッグが別体に設けられており、
該小型バッグには、バッグ本体の内面側に配置された抜止め具に掛止められるベルト状の掛止部が形成されており、
該掛止部は、一方の端部が小型バッグの側面に固定されると共に、外面に面ファスナーの雌雄のいずれか一方が固定され、他方の端部の内面には面ファスナーの雌雄のいずれか他方が固定されており、
前記他方の端部の他方の面ファスナーは、抜止め具の中空を通って一方の端部の一方の面ファスナーと係合して、小型バッグがバッグ本体に着脱可能に連結されることを特徴とする請求項１または２に記載の持ち手付きバッグ。
【考案の詳細な説明】
【技術分野】
【０００１】
本考案は、持ち手がバッグ本体に着脱可能で、持ち手を交換することが容易な着脱可能な持ち手を備えたバッグに関するものである。
【背景技術】
【０００２】
例えば、従来、手提げ紐として、実開昭４８−５６２１８号に示すように、袋に穿孔を設けておき、手提げ紐の端部を折り返して二重に重ね合わせ固着して止着部となし、先端部を内側に向けて傾斜状に折り曲げて抜止め部として用いる構造が開示されている。
しかし、上記構造では、手提げ紐と止着部や抜止め部の素材は同じ紐からなるので、袋に重量物を収納した場合には大きな荷重がかかり、前記穿孔から抜け落ちてしまう欠点がある。
更に、手提げ紐と止着部や抜止め部とは一体に形成されているので、手提げ紐をデザインの異なるものと簡便に交換することができないという欠点があった。
【先行技術文献】
【特許文献】
【０００３】
【特許文献１】実開昭４８−５６２１８号公報
【考案の概要】
【考案が解決しようとする課題】
【０００４】
この考案の解決しようとする問題点は、ハンドルなどの持ち手を好みのデザインや形状の異なる持ち手を自由に選んで、バッグ本体に着脱可能とすると共に、強度を備えた信頼性の高い手提げ付きバッグを提供することにある。
【課題を解決するための手段】
【０００５】
本考案は、上記課題を解決するために、請求項１の考案では、
バッグ本体と、バッグ本体に着脱可能な持ち手とからなり、
バッグ本体にハトメ部からなって持ち手の端部側を挿入しうる挿入孔を有しており、
持ち手は、紐状の持ち手本体の両端側がそれぞれ折り返された個所に第１の空隙ができ、該第１の空隙を開閉しうるように前記端部の重ね合わせた個所を開閉しうるように一対のスナップボタンが設けられ、
前記第１の空隙には、前記挿入孔から抜け出ない大きさの外形からなる抜止め具が掛止め可能となっていることを特徴とする。
【０００６】
また、請求項３の考案では、バッグ本体に収納可能な小型バッグが別体に設けられており、
該小型バッグには、バッグ本体の内面側に配置された抜止め具に掛止められるベルト状の掛止部が形成されており、
該掛止部は、一方の端部が小型バッグの側面に固定されると共に、外面に面ファスナーの雌雄のいずれか一方が固定され、他方の端部の内面には面ファスナーの雌雄のいずれか他方が固定されており、
前記他方の端部の他方の面ファスナーは、抜止め具の中空を通って一方の端部の一方の面ファスナーと係合して、小型バッグがバッグ本体に着脱可能に連結されることを特徴とする。
【考案の効果】
【０００７】
本考案の持ち手付きバッグは、持ち手の端部をバッグのハトメ部に通してバッグの内側で丸環の抜止め具と連結するので、デザインや形状の異なる持ち手を複数準備しておき、所望の持ち手を選択してバッグ本体に取り付けたり交換することができる。
また、ハトメ部と丸環の抜止め具の衝合によって係止されるので、バッグに大きな荷重がかかっても持ち手がバッグから外れてしまうおそれがない。
更に、抜止め具を用いて小型バッグをバッグの内部に吊り下げて使用することもできる。
【図面の簡単な説明】
【０００８】
【図１】着脱可能な持ち手を備えたバッグの側面図である。
【図２】持ち手の取付状態を示す図で、持ち手をハトメ部に挿入する状態を示す説明図である。
【図３】持ち手をハトメ部に挿入し、ハトメ部の内側に挿入された持ち手の端部に抜止め具を取り付けた状態の説明図である。
【図４】持ち手を引き上げて、ハトメ部と抜止め具とが衝合している状態の説明図である。
【図５】持ち手の端部の状態を示す拡大正面図である。
【図６】バッグの内側に小型バッグを吊り下げた状態のバッグの内側から見た説明図である。
【図７】小型バッグの掛止部の正面から見た拡大図である。
【考案を実施するための形態】
【０００９】
持ち手の両端に着脱可能な抜止め具を設け、バッグ本体には持ち手を通すハトメ部を設けておき、ハトメ部に通した内側の持ち手部の端部に抜止め具を掛止めることで持ち手が着脱自在となり、所望の形状やデザインの持ち手をバッグ本体に組み合わせて用いることができる。
【実施例１】
【００１０】
この考案のバッグ１は、図１に示すように、バッグ本体２と、該バッグ本体２に着脱可能な持ち手１０とからなっている。
バッグ本体２は、左右の側面の上部に、金属または樹脂製のハトメ部からなって持ち手本体１１の端部側を挿入しうる挿入孔としてのハトメ部３をそれぞれの面に左右一対に形成してある。
【００１１】
持ち手１０は、紐状の持ち手本体１１の両端側がそれぞれ折り返されており、図５に示すように、該折り返された個所に第１の空隙１２ができ、該第１の空隙１２を開閉しうるように前記端部の重ね合わせた個所を開閉しうるように一対のスナップボタン１３、１４が設けられている。
上記第１の空隙１２には、後述の丸環からなる抜止め具１７の中空が挿入され掛止められる。
【００１２】
この持ち手１０をバッグ本体２のハトメ部３に装着する方法を、図２〜図４に示す。
まず、抜止め具１７を外した状態で、持ち手本体１１の端部を、ハトメ部３に挿入する（図２参照）。
【００１３】
次いで、持ち手本体１１の端部をハトメ部３に挿入し、ハトメ部３の内側に挿入された持ち手本体１１の端部の折り返して部分を展開して抜止め具１７を挿入し、その後に折り返して前記スナップボタン１３、１４を係止して折り返し部分を閉じる（図３参照）。
【００１４】
これにより、持ち手１０を上に引っ張ると、抜止め具１７も引き上げられ、バッグ本体２の内側で、ハトメ部３と抜止め具１７とが衝合して持ち手１０がバッグ本体２に掛止められる。
このように本実施例では、バッグ本体２の左右の側面にそれぞれ２つのハトメ部３を設けて、同じ側面の２つのハトメ部３毎に１つの持ち手１０の端部を掛け止めた構造とすることができる。
【実施例２】
【００１５】
図６および図７は、実施例２の構造を示すもので、前記実施例１で説明したバッグ本体２でバッグ１の内側に配置された抜止め具１７に別体の小型バッグ２０を掛け止めて、着脱可能に連結する構造を示している。
【００１６】
小型バッグ２０は、上面に開閉用の線ファスナー２６が取り付けられたオプションポーチからなっている。
そして、小型バッグ２０の上部には、前記線ファスナー２６を避けて伸びるベルト状の掛止部２１が形成されている。
【００１７】
掛止部２１は、一方の端部２１ａが小型バッグ２０の一方の側面に縫合や接着で固定され、他方の端部２１ｂは上方で折り返されて、前記一方の端部２１ａと着脱可能に係合する。
即ち、掛止部２１の一方の端部２１ａの外面には面ファスナーの雌雄のいずれか一方２３が固定され、他方の端部２１ｂの内面には面ファスナーの雌雄のいずれか他方２４が固定されている。
【００１８】
これにより、掛止部２１は、上方で折り返し、前記一対の面ファスナー２３、２４で端部２１ａ、２１ｂ間を塞ぐことで、上方の折り返し部分に環状に第２の空隙２５が形成される。
【００１９】
そこで、前記記一対の面ファスナー２３、２４を外して端部２１ａ、２１ｂ間を開いて、前記抜止め具１７の中空に掛止部２１の他方の端部２１ｂを挿入して通り抜け、折り返してから他方の端部２１ｂの面ファスナー２４を一方の端部２１ａの面ファスナー２３に係合することで、小型バッグ２０を掛止部２１を介して抜止め具１７に連結することができる。
【００２０】
本実施例では、掛止部２１が線ファスナー２６を跨がないので、抜止め具１７に連結したままで、線ファスナー２６を開いて小型バッグ２０内の収納物を取り出すことができる。
この小型バッグ２０は、本実施例の場合は線ファスナー２６で開閉する構造を示したが、スナップファスナーやボタンなどで開閉するものでもよい。
【００２１】
上記実施例１，２ではトートバッグをバッグの例として記載したが、その他の形状のバッグでもよい。
また、抜止め具１７は、ハトメ部３から抜け出ない大きさの外形であって、かつ、第１の空隙１２に抜止め具１７の中空が挿入できれば、丸環以外の形状でも良く、例えば略Ｄ字状や、中空を有する四角状、三角状などであっても良い。
その他、要するにこの考案の要旨を変更しない範囲で種々設計変更しうること勿論である。
【符号の説明】
【００２２】
１    持ち手付きバッグ
２    バッグ本体
３    ハトメ部
１０    持ち手
１２    第１の空隙
１３、１４    スナップボタン
１７    抜止め具
２０    小型バッグ
２３、２４  面ファスナー
２５    第２の空隙
【図１】
0003209368.tif 000003
【図２】
0003209368.tif 000004
【図３】
0003209368.tif 000005
【図４】
0003209368.tif 000006
【図５】
0003209368.tif 000007
【図６】
0003209368.tif 000008
【図７】
0003209368.tif 000009